(57)【要約】【課題】吸着素子の除加湿性能を空調手段において均一化することができる除加湿装置を提供する。【解決手段】除加湿装置１００は、吸着モジュール３の温度を均一化するように、複数のフィン３３が設けられる。各フィン３３は、送風機２によって送風される空気の風速が大きい部分の圧力損失を風速が小さい部分より大きくなるように設けられ、フィン３３の長さ方向Ｙの寸法は、風速が大きい部分を風速が小さい部分より大きくなるように設定される。【選択図】図１
2010096454.tif 000002
【特許請求の範囲】
【請求項１】
加湿風が通過する加湿風通路（８０）と、除湿風が通過する除湿風通路（９０）とが形成されるメインケーシング（１）と、
前記メインケーシング内に空気を送風する送風手段（２）と、
前記メインケーシング内に設けられ、前記送風手段によって送風される空気を加湿および除湿する空調手段であって、前記送風手段によって送風される空気と熱交換する熱交換部（３３）、前記熱交換部を加熱する加熱部（３０）、および前記熱交換部に設けられ、前記熱交換部の温度に基づいて水分を吸着および放出する吸着部（３６）、を含む空調手段（３）と、
前記空調手段によって加湿された空気を前記加湿風通路に導き、かつ除湿された空気を前記除湿風通路に導く流路切替手段（４）と、
前記熱交換部を通過する空気の流通方向と略直交する幅方向に関して、前記吸着部の温度を均一化する温度調節手段（３３）と、を含むことを特徴とする除加湿装置。
【請求項２】
前記温度調節手段は、前記メインケーシング内の前記熱交換部の上流側における前記送風手段によって送風される空気の風速分布に基づいて、風速の大きい部分と残余の風速の小さい部分とでは、前記風速の大きい部分の圧力損失を前記風速の小さい部分より大きくするように設けられることを特徴とする請求項１に記載の除加湿装置。
【請求項３】
前記温度調節手段は、前記熱交換部の上流側における風速分布を均一化するように設けられることを特徴とする請求項１に記載の除加湿装置。
【請求項４】
前記加熱部は、前記熱交換部の上流側の方が下流側より温度が高くなるように加熱することを特徴とする請求項１〜３のいずれか１つに記載の除加湿装置。
【請求項５】
前記温度調節手段は、前記熱交換部に設けられ、空気の流通方向に沿って延び、前記幅方向に間隔をあけて形成された複数のフィンであり、
前記複数のフィンのピッチは、前記風速の大きい部分が前記風速の小さい部分より小さいことを特徴とする請求項１〜５のいずれか１つに記載の除加湿装置。
【請求項６】
前記温度調節手段は、前記熱交換部に設けられ、空気の流通方向に沿って延び、前記幅方向に間隔をあけて形成された複数のフィンであり、
前記複数のフィンの流通方向の長さ寸法は、前記風速の大きい部分が前記風速の小さい部分より大きいことを特徴とする請求項１〜５のいずれか１つに記載の除加湿装置。
【請求項７】
前記温度調節手段は、前記熱交換部に設けられ、空気の流通方向に沿って延び、前記幅方向に間隔をあけて形成された複数のフィンであり、
前記複数のフィンの厚み寸法は、前記風速の大きい部分が前記風速の小さい部分より大きいことを特徴とする請求項１〜６のいずれか１つに記載の除加湿装置。
【請求項８】
前記温度調節手段は、前記熱交換部に設けられ、空気の流通方向に沿って延び、前記幅方向に間隔をあけて形成された複数のフィンであり、
前記吸着部は、前記複数のフィンの表面に設けられ、
前記吸着部の厚み寸法は、前記風速の大きい部分が前記風速の小さい部分より大きいことを特徴とする請求項１〜７のいずれか１つに記載の除加湿装置。
【請求項９】
前記送風手段は、
吸込口（２３）および吹出口（２４）が形成される渦巻き状のスクロールケーシング（２０）と、
前記スクロールケーシング内に設けられる多翼ファン（２１）と、を含み、
前記複数のフィンの少なくとも一部は、前記スクロールケーシング内に設けられることを特徴とする請求項６に記載の除加湿装置。
【発明の詳細な説明】
【技術分野】
【０００１】
本発明は、空気を取り込んで除湿された空気と加湿された空気とを吹き出す除加湿装置に関する。
【背景技術】
【０００２】
第１の従来技術の除加湿装置として、熱電変換素子の両面に吸放熱板を取り付け、片面に吸湿材を取り付けた構成の装置がある。このような除加湿装置では、熱電変換素子に印加する直流電圧の極性を切り替え、吸湿作動時は吸湿材を冷やし、脱湿作動時には吸湿材を温め、除加湿を行っている（たとえば特許文献１参照）。
【０００３】
第２の従来技術の除加湿装置として、ケーシング内に送風機、吸着モジュール、および流路切替装置を収容して構成されている装置がある。吸着モジュールは、ペルチェ素子の各面に第１の吸着素子および第２の吸着素子を直接配置して構成される。流路切替装置は、第１の吹出口および第２の吹出口に対し、第１の吸着素子を通過した空気と第２の吸着素子を通過した空気とを振り向け、かつ振り向け先を切替可能に構成されている。
【０００４】
吸着モジュールにおいてペルチェ素子の電流を逆転させてペルチェ素子の吸熱部と放熱部とを入れ替えるとともに、流路切替装置において各空気の振り向け先を切り替えるようになっている（たとえば特許文献２参照）。
【特許文献１】特開平７−１０３５０４号公報
【特許文献２】特開２００８−１００５６６号公報
【発明の開示】
【発明が解決しようとする課題】
【０００５】
前述の第１の従来技術では、吸放熱板は加湿時に熱電変換素子によって均一に熱を与えられる。しかしながら、吸放熱板の温度は、吸放熱板に対する風流れによって、通風方向において風上側の温度が低く、風下側に向かって徐々に温度が高くなるという熱勾配が発生する。換言すると、吸放熱板が均一の温度にならず吸放熱板内に温度分布が発生する。吸湿剤は温度によって水を保持できる吸湿量が異なるので、吸湿剤の放水量に分布が発生する。したがって加湿性能が吸放熱板において部分的に異なるので、吸着材の性能を発揮しきれていないという問題がある。また除湿時も同様の問題がある。
【０００６】
また前述の第２の従来技術でも、ペルチェ素子の各面内で同様に温度分布が発生するので、吸着材の性能を発揮しきれてなく、加湿性能および除湿性能が安定しないという問題がある。
【０００７】
そこで、本発明は前述の問題点を鑑みてなされたものであり、吸着素子の除加湿性能を空調手段において均一化することができる除加湿装置を提供することを目的とする。
【課題を解決するための手段】
【０００８】
本発明は前述の目的を達成するために以下の技術的手段を採用する。
【０００９】
請求項１に記載の発明では、加湿風が通過する加湿風通路（８０）と、除湿風が通過する除湿風通路（９０）とが形成されるメインケーシング（１）と、
メインケーシング内に空気を送風する送風手段（２）と、
メインケーシング内に設けられ、送風手段によって送風される空気を加湿および除湿する空調手段であって、送風手段によって送風される空気と熱交換する熱交換部（３３）、熱交換部を加熱する加熱部（３０）、および熱交換部に設けられ、熱交換部の温度に基づいて水分を吸着および放出する吸着部（３６）、を含む空調手段（３）と、
空調手段によって加湿された空気を加湿風通路に導き、かつ除湿された空気を除湿風通路に導く流路切替手段（４）と、
熱交換部を通過する空気の流通方向と略直交する幅方向に関して、吸着部の温度を均一化する温度調節手段（３３）と、を含むことを特徴とする除加湿装置である。
【００１０】
請求項１に記載の発明に従えば、幅方向に関して吸着部の温度を均一化する温度調節手段が設けられる。このような温度調節手段によって吸着部の幅方向に関して温度は均一となるので、温度の偏りをなくすことができる。吸着部は、熱交換部の温度に基づいて水分を吸着および放出するので、温度を均一にすることによって、吸着および放出する水分量を均一にすることができる。これによって吸着部において均一に除加湿性能を発揮することができ、除加湿性能を安定させることができる。したがって空調手段を制御することによって、所望の状態の除湿風および加湿風を生成することができ、除加湿装置の利便性を向上することができる。
【００１１】
また請求項２に記載の発明では、温度調節手段は、メインケーシング内の熱交換部の上流側における送風手段によって送風される空気の風速分布に基づいて、風速の大きい部分と残余の風速の小さい部分とでは、風速の大きい部分の圧力損失を風速の小さい部分より大きくするように設けられることを特徴とする。
【００１２】
請求項２に記載の発明に従えば、温度調節手段は、送風される空気の風速の大きい部分の圧力損失を風速の小さい部分より大きくするので、風速の大きい部分における風量を少なくし、風速の小さい部分における風量を多くすることができる。これによって吸着部を通過する風量の分布を均一化することができる。したがって吸着部と空気との熱伝達量が略等しくなるので、吸着部の幅方向に関して、温度を均一化することができる。これによって前述の吸着部の温度の均一化による効果を達成することができる。
【００１３】
さらに請求項３に記載の発明では、温度調節手段は、熱交換部の上流側における風速分布を均一化するように設けられることを特徴とする。
【００１４】
請求項３に記載の発明に従えば、温度調節手段は、吸着部における風速分布を均一化するので、吸着部を通過する空気の流路が複数ある場合、流路の断面積を互いに等しくすることによって、風量分布を均一化することができる。これによって前述の風量分布を均一化による効果を達成することができる。
【００１５】
さらに請求項４に記載の発明では、加熱部は、熱交換部の上流側の方が下流側より温度が高くなるように加熱することを特徴とする。
【００１６】
請求項４に記載の発明に従えば、加熱部は、熱交換部の上流側の方が下流側より温度が高くなるように加熱する。熱交換部に設けられる吸着部の下流側は、熱交換部の上流側からの熱伝導と、上流側で熱交換によって加熱された空気の熱伝達とによって加熱されるので、吸着部における空気の流通方向に関する温度を均一にすることができる。換言すると、吸着部を流通方向に関して均一に加熱するよりも、上流側を強く加熱する方が、吸着部の温度を流通方向に関して均一にすることができる。これによって前述の吸着部の温度の均一化による効果を達成することができる。
【００１７】
さらに請求項５に記載の発明では、温度調節手段は、熱交換部に設けられ、空気の流通方向に沿って延び、幅方向に間隔をあけて形成された複数のフィンであり、
複数のフィンのピッチは、風速の大きい部分が風速の小さい部分より小さいことを特徴とする。
【００１８】
請求項５に記載の発明に従えば、複数のフィンのピッチは、風速の大きい部分が風速の小さい部分より小さいので、風速の大きい部分における風量を少なくし、風速の小さい部分における風量を多くすることができる。これによって吸着部を通過する風量の分布を均一化することができるので、前述の吸着部の風量の分布の均一化による効果を達成することができる。
【００１９】
さらに請求項６に記載の発明では、温度調節手段は、熱交換部に設けられ、空気の流通方向に沿って延び、幅方向に間隔をあけて形成された複数のフィンであり、
複数のフィンの流通方向の長さ寸法は、風速の大きい部分が風速の小さい部分より大きいことを特徴とする。
【００２０】
請求項６に記載の発明に従えば、複数のフィンの流通方向の長さ寸法は、風速の大きい部分が風速の小さい部分より大きいので、風速の大きい部分の圧力損失を大きく、風速が小さい部分の圧力損失を小さくすることができる。これによって吸着部を通過する風量の分布を均一化することができるので、前述の吸着部の風量の分布の均一化による効果を達成することができる。
【００２１】
さらに請求項７に記載の発明では、温度調節手段は、熱交換部に設けられ、空気の流通方向に沿って延び、幅方向に間隔をあけて形成された複数のフィンであり、
複数のフィンの厚み寸法は、風速の大きい部分が風速の小さい部分より大きいことを特徴とする。
【００２２】
請求項７に記載の発明に従えば、複数のフィンの厚み寸法は、風速の大きい部分が風速の小さい部分より大きくするので、風速の大きい部分の圧力損失を大きくし、風速の小さい部分の圧力損失を小さくすることができる。これによって吸着部を通過する風量の分布を均一化することができるので、前述の吸着部の風量の分布の均一化による効果を達成することができる。
【００２３】
さらに請求項８に記載の発明では、温度調節手段は、熱交換部に設けられ、空気の流通方向に沿って延び、幅方向に間隔をあけて形成された複数のフィンであり、
吸着部は、複数のフィンの表面に設けられ、
吸着部の厚み寸法は、風速の大きい部分が風速の小さい部分より大きいことを特徴とする。
【００２４】
請求項８に記載の発明に従えば、吸着部の厚み寸法は、風速の大きい部分が風速の小さい部分より大きいので、風速の大きい部分における圧力損失を大きくし、風速の小さい部分における圧力損失を小さくすることができる。これによって吸着部を通過する風量の分布を均一化することができるので、前述の吸着部の風量の分布の均一化による効果を達成することができる。
【００２５】
さらに請求項９に記載の発明では、送風手段は、
吸込口（２３）および吹出口（２４）が形成される渦巻き状のスクロールケーシング（２０）と、
スクロールケーシング内に設けられる多翼ファン（２１）と、を含み、
複数のフィンの少なくとも一部は、スクロールケーシング内に設けられることを特徴とする。
【００２６】
請求項９に記載の発明に従えば、複数のフィンの少なくとも一部は、スクロールケーシング内に設けられる。したがって流通方向の寸法の大きいフィンをスクロールケーシング内に設けることによって、メインケーシングの長さ寸法を短くすることができる。これによって除加湿装置を小形化することができる。
【００２７】
なお、前述の各手段の括弧内の符号は、後述する実施形態に記載の具体的手段との対応関係を示す一例である。
【発明を実施するための最良の形態】
【００２８】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００２９】
（第１実施形態）
本発明の第１実施形態に関して、図１〜図７を用いて説明する。図１は、第１実施形態の除加湿装置１００を示す平面断面図である。図２は、除加湿装置１００の側面断面図である。本実施形態の除加湿装置１００は、たとえば車両の車室内に搭載され、車室内空気を取り込んで除湿風と加湿風とを吹き出す車両用の除加湿装置１００に適用される。除加湿装置１００は、たとえば外気が乾燥する冬季において、車両前面窓ガラスの内面側に防曇用の除湿風を供給するとともに、乗員側には加湿風を供給するために使用される。除加湿装置１００は、たとえば車室内の天井部分に設置される。除加湿装置１００は、ケーシング１、送風機２、吸着モジュール３、流路切替部４、アクチュエータ７および制御装置（図示せず）を含む。
【００３０】
ケーシング１は、空気が流通する流路を形成する。ケーシング１は、空気が流通する流通方向に沿って延びるように長手状に形成される。ケーシング１内には、吸着モジュール３および流路切替部４が、空気の流通方向に沿って順次配設されている。ケーシング１は、設置場所に応じて各種の形状に設計できるが、たとえば車室内の天井に設置するため、高さに相当する厚さ部分が薄く設計された扁平な略直方体の箱状に形成される。またケーシング１は、天井形状に応じて、外郭形状を曲線状に形成してもよい。ケーシング１は、たとえば樹脂からなる。
【００３１】
以下、ケーシング１が延びる方向であって、空気が流通する方向を長さ方向Ｙ（図１における左右方向）と称し、長さ方向Ｙに直交する方向を幅方向Ｘ（図１における上下方向）と称し、長さ方向Ｙおよび幅方向Ｘに垂直な方向を厚さ方向Ｚ（図１の紙面に垂直な方向）と称することがある。
【００３２】
ケーシング１には、送風機２から送風される空気が流通する通路として、メイン通路２６、加湿風通路８０および除湿風通路９０が形成される。メイン通路２６は、加湿風通路８０および除湿風通路９０の上流側に設けられる。メイン通路２６を通過した空気は、加湿風通路８０および除湿風通路９０にそれぞれ送られる。ケーシング１の長さ方向Ｙ一方の端部には、メイン通路２６に空気を送るために、外方に開口する開口１０が形成される。
【００３３】
開口１０は、ケーシング１における幅方向Ｘ他方側（図１における下方側）に形成される。開口１０は、長さ方向Ｙ一方（図１における右方）に向かって先細りの形状の端部に形成される。したがって開口１０を形成するためのケーシング１の幅方向Ｘ一方側の壁部１ａは、幅方向Ｘ他方側に向かうにつれて、長さ方向Ｙ一方に向かうように傾斜する。また開口１０を形成するためのケーシング１の幅方向Ｘ他方側の壁部１ｂは、長さ方向Ｙの延びる。
【００３４】
加湿風通路８０は、ケーシング１の内壁部によって形成され、除湿風通路９０とは別に空気が流通する通路である。換言すると、加湿風通路８０および除湿風通路９０は、ケーシング１の内壁部によって、それぞれ独立した通路として形成される。したがって加湿風通路８０を流通する加湿風は、除湿風通路９０には流通しない。ケーシング１の空気流れ下流端である長さ方向Ｙ他方の端部（図１における左方）には、加湿風通路８０を流下した加湿風が吹き出す加湿風吹出口８と、除湿風通路９０を流下した除湿風が吹き出す除湿風吹出口９とが、幅方向Ｘに並んでそれぞれ設けられる。これらの加湿風吹出口８と除湿風吹出口９とは、ケーシング１に一体成形した仕切り壁１１によって区画形成されており、本実施形態では除湿風吹出口９に対して加湿風吹出口８を小さく形成している。加湿風吹出口８には、たとえば乗員側へ向けられたフェイス吹出ダクト（図示せず）が接続され、除湿風吹出口９には、たとえば車両前面窓ガラスなどへ向けられたデフロスタ吹出ダクト（図示せず）が接続される。
【００３５】
送風機２は、送風手段であって、ケーシング１の長さ方向Ｙ一方（図１の右方）の端部に設けられる。送風機２は、たとえば多翼ファン２１、ラジアルファンおよびターボファンなどを含む遠心式の送風機２であって、回転軸線方向から吸入した空気を径方向外方に吹き出すように構成される。本実施の形態の送風機２は、樹脂で成形した扁平なスクロールケーシング２０と、その内部に配設された多翼ファン２１と、その多翼ファン２１を駆動する送風モータ２２とを備えている。
【００３６】
スクロールケーシング２０は、多翼ファン２１が空気を送り出すための吹出口２４を形成する。スクロールケーシング２０は、多翼ファン２１の半径方向に臨む壁部である。スクロールケーシング２０は、多翼ファン２１を半径方向外方から取り囲み、吹出口２４に向けて徐々に拡がる渦巻状の流路を形成する。
【００３７】
スクロールケーシング２０の厚さ方向Ｚ他方（図２における下方）の下面部は、外部からの空気をスクロールケーシング２０内に流入させるための吸込口２３が形成される。これによって吸込口２３からスクロールケーシング２０内に流入した空気は、渦巻状の流路によって径方向および周方向に整流されて吹出口２４から長さ方向Ｙ他方に向かって送られる。送風機２の吹出口２４は、ケーシング１の長さ方向Ｙ一方に形成される開口１０に接続され、吸い込んだ空気をケーシング１内に供給する。
【００３８】
開口１０がケーシング１における幅方向Ｘ他方側（図１における下方側）に形成されるので、送風機２の吹出口２４から送風される空気は、メイン通路２６の幅方向Ｘ他方側から流入する。したがってメイン通路２６の吸着モジュール３の上流側における風速分布は、吹出口２４が長さ方向Ｙ他方に臨む部分が、風速の大きい部分となり、幅方向Ｘ一方側の壁部１ａが長さ方向Ｙ他方の臨む部分が、風速の小さい部分となる。
【００３９】
さらにスクロールケーシング２０の渦巻状の流路によって径方向および周方向に整流された空気は、風速分布が一様ではなく、図１に矢印で示すように、吹出口２４の幅方向Ｘ他方側（図１における下方側）の方が最も風速が大きく、幅方向Ｘ一方側に向かうにつれて、徐々に風速が小さくなる。そして開口１０の幅方向Ｘ一方側の端部からさらに幅方向Ｘ一方側のメイン通路２６では、幅方向Ｘ一方側の壁部１ａによって空気が案内されるので、さらに風速が小さくなる。
【００４０】
次に、吸着モジュール３について、図３を用いて説明する。図３は、吸着モジュール３の一部を拡大して示す斜視図である。吸着モジュール３は、メイン通路２６に設けられる。吸着モジュール３は、空気が通過することができるように構成される。吸着モジュール３は、空調手段であって、送風機２によって送風される空気を加湿および除湿する。吸着モジュール３は、ペルチェ素子３０、第１の吸着素子３１Ａおよび第２の吸着素子３１Ｂを含む。
【００４１】
ペルチェ素子３０は、加熱手段であって、第１の吸着素子３１Ａおよび第２の吸着素子３１Ｂを加熱する。ペルチェ素子３０は、ペルチェ効果を利用した板状の熱電素子であり、通電されるとその厚さ方向Ｚ一端面側で吸熱作用を果たし、厚さ方向Ｚ他端面側で放熱作用を果たす熱電素子である。ペルチェ素子３０は、図１に示すように、略直角三角形の板状に形成される。ペルチェ素子３０の姿勢は、斜辺が幅方向Ｘ他方に向かうにつれて、長さ方向Ｙ他方の向かう方向に延び、長さ方向Ｙの延びる一辺が短く、幅方向Ｘに延びる一辺が長い。
【００４２】
ペルチェ素子３０は、２種の金属板の間にＰ型半導体とＮ型半導体とを多数配置するとともに、一方の金属板によってＮ−Ｐ接合を構成し、かつ他方の金属板によってＰ−Ｎ接合を構成した素子であり、係る素子においては、ＰＮ接合部分に電流を流すことにより熱移動が起こり、一方の金属板で吸熱現象が生じ、他方の金属板で放熱現象が生じる。ペルチェ素子３０は、板状に形成され、厚さ方向Ｚに直交する２つの板面部３０ａ，３０ｂが吸熱部および放熱部として機能する。
【００４３】
第１の吸着素子３１Ａは、ペルチェ素子３０の厚さ方向Ｚ一方の板面部３０ａに設けられる。第２の吸着素子３１Ｂは、ペルチェ素子３０の厚さ方向Ｚ他方の板面部３０ｂに設けられる。ペルチェ素子３０の長さ方向Ｙにおける長さ寸法は、各吸着素子３１Ａ，３１Ｂの長さ方向Ｙにおける長さ寸法より短く、たとえば約２分の１に設定される。ペルチェ素子３０は、各吸着素子３１Ａ，３１Ｂの長さ方向Ｙの中央より上流側に寄せて配設している。ペルチェ素子３０の長さ方向Ｙにおける上流端位置と、吸着素子３１Ａ，３１Ｂの長さ方向Ｙにおける上流端位置とは、略同位置である。したがってペルチェ素子３０は、各吸着素子３１Ａ，３１Ｂの上流側の方が下流側より温度が高くなるように加熱する。
【００４４】
ペルチェ素子３０から下流側であって、各吸着素子３１Ａ，３１Ｂの間の空間には、断熱部材３４が設けられる。断熱部材３４は、第１の吸着素子３１Ａと第２の吸着素子３１Ｂとを断熱する。断熱部材３４は、ペルチェ素子３０と同じ形状のアルミニウムの角管を一体に接合し、角管内の空気層を断熱に利用している。
【００４５】
第１の吸着素子３１Ａと第２の吸着素子３１Ｂとは構成が略同一であるので、第１の吸着素子３１Ａに関して説明し、第２の吸着素子３１Ｂに関しては説明を省略する。第１の吸着素子３１Ａは、ペルチェ素子３０の一方の板面部３０ａの温度に基づいて水分を吸着および放出する。第１の吸着素子３１Ａは、冷却されると吸湿量が増え水分を吸収し、通過する空気を除湿する。また第１の吸着素子３１Ａは、加熱されると吸湿量が減り水分を放出し、通過する空気を加湿する。
【００４６】
第１の吸着素子３１Ａは、基板３２およびフィン３３を含み、基板３２およびフィン３３の表面には吸着材が塗布される。基板３２およびフィン３３は、熱交換部であって、アルミニウムなど熱伝導率に優れる金属で形成される。基板３２は、平板状であって、ペルチェ素子３０の板面部３０ａに積層するように設けられる。したがって基板３２の形状は、略直角三角形板状である。
【００４７】
フィン３３は、基板３２から厚さ方向Ｚ外方に突出して複数設けられる。フィン３３は、長さ方向Ｙに沿って延びるように複数設けられ、幅方向Ｘに離間するように設けられる。フィンピッチは、互いに等しく、フィンの厚み寸法も互いに等しい。したがって各フィン間の隙間も互いに等しい。
【００４８】
フィン３３は、送風機２によって送風される空気と熱交換する熱交換部としての機能を有し、さらに塗布される吸着材の温度を均一化する温度調節手段としての機能も有する。各フィン３３は、送風機２によって送風される空気の風速が大きい部分の圧力損失を風速が小さい部分より大きくなるように設けられる。フィン３３の長さ方向Ｙの寸法は、風速が大きい部分を風速が小さい部分より大きくなるように設定される。したがって図１に示す風速分布に応じて、幅方向Ｘ他方側（図１における下方側）の方がフィン３３の長さ寸法が大きくなるように設定され、幅方向Ｘ一方側に向かうにつれて、フィン３３の長さ寸法が徐々に小さくなる。また各フィン３３の上流側（図１の右方側）の端部は、長さ方向Ｙに関して略同位置となるように設定される。したがって各フィン３３の下流側（図１の左方側）の端部は、長さ方向Ｙに関して位置が互いに異なり、幅方向Ｘ一方側に向かうにつれて、徐々に上流側に位置する。
【００４９】
吸着材は、吸着部であって、基板３２およびフィン３３の温度に基づいて水分を吸着および放出する。吸着材は、低い湿度で水分を容易に吸着し、かつ低い温度で容易に脱離し得る材料、たとえばゼオライトが好ましい。吸着モジュール３において各吸着素子３１Ａ，３１Ｂは、ペルチェ素子３０の各板面部３０ａ，３０ｂに対し、空気層や他の断熱要素が介在することなく、ペルチェ素子３０で生成された温熱および冷熱が熱伝導によって伝わるように配置されていれば良く、銀ペーストや伝熱グリスなどの熱伝導材料を介して配置されても良い。
【００５０】
吸着モジュール３は、各吸着素子３１Ａ，３１Ｂの吸着および脱離操作に準じた時間間隔、たとえば５分以上１０分以下の間隔でペルチェ素子３０に流れる電流の方向が逆転され、ペルチェ素子３０の板面部３０ａ，３０ｂにおける吸熱機能と放熱機能とが入れ替えられるように制御される。吸着モジュール３は、加熱側の吸着素子が水分を放出しきる前に、電流の方向が逆転される。
【００５１】
次に、流路切替部４に関して説明する。図４は、流路切替部４を示す斜視図である。図５は、流路切替部４を示す側面図である。除加湿装置１００は、吸着モジュール３の各吸着素子３１Ａ，３１Ｂの吸着操作および脱離操作を、５〜１０分位毎で交互に切り替える。したがって本実施形態においては、加湿された空気を加湿風吹出口８から連続的に吹き出し、除湿された空気を除湿風吹出口９から連続的に吹き出すため、図１に示すように、吸着モジュール３の下流側に流路切替部４が配置される。
【００５２】
流路切替部４は、流路切替手段であって、吸着モジュール３を通過した空気の振り向け先を切り替えるように構成される。流路切替部４は、第１の吸着素子３１Ａを通過した空気を加湿風通路８０に振り分け、第２の吸着素子３１Ｂを通過した空気を除湿風通路９０に振り分ける状態と、第１の吸着素子３１Ａを通過した空気を除湿風通路９０に振り分け、第２の吸着素子３１Ｂを通過した空気を加湿風通路８０に振り分ける状態とを切り替える。
【００５３】
流路切替部４は、図２に示すように、吸着モジュール３の下流側に配設された仕切り板４０により、第１の吸着素子３１Ａを通過した空気が流入する第１流入空間３Ａと、第２の吸着素子３１Ｂを通過した空気が流入する第２流入空間３Ｂとに区画されている。
【００５４】
仕切り板４０の下流側は、図２に示すように、ケーシング１に一体成形した仕切り壁１１により、加湿風吹出口８に連なる加湿風通路８０と、除湿風吹出口９に連なる除湿風通路９０とに区画されており、除湿風通路９０に対して加湿風通路８０の通路断面積が小さくなっている。これにより、除湿風吹出口９から吹き出される除湿風の風量に対して、加湿風吹出口８から吹き出される加湿風の風量が少なくなっている。
【００５５】
流路切替部４は、複数の流路切替ドア６およびシャフト６０を含む。流路切替ドア６は、仕切り板４０と仕切り壁１１との間に配設される。シャフト６０は、流路切替ドア６が一体に設けられる。シャフト６０は、ケーシング１の幅方向Ｘに沿って、回転可能に設けられる。
【００５６】
シャフト６０には、４つの流路切替ドア６であって、２つの加湿側ドア６１ａ，６１ｂと、２つの除湿側ドア６２ａ，６２ｂとが設けられる。流路切替ドア６の回動範囲θ（本実施形態では約６０度）を小さくするために、加湿側ドア６１ａ，６１ｂと除湿側ドア６２ａ，６２ｂとをそれぞれ２つずつ設けられる。加湿側ドア６１ａ，６１ｂは、その角度位置に応じて、加湿風通路８０と第１流入空間３Ａとを連通し、加湿風通路８０と第２流入空間３Ｂとを閉塞する状態と、これとは逆に、加湿風通路８０と第２流入空間３Ｂとを連通し、加湿風通路８０と第１流入空間３Ａとを閉塞する状態と、を切り替える。また除湿側ドア６２ａ，６２ｂは、加湿側ドア６１ａ，６１ｂと同様にその角度位置に応じて、除湿風通路９０と第１流入空間３Ａとを連通し、除湿風通路９０と第２流入空間３Ｂとを閉塞する状態と、これとは逆に、除湿風通路９０と第２流入空間３Ｂとを連通し、除湿風通路９０と第１流入空間３Ａとを閉塞する状態と、を切り替える。
【００５７】
加湿側ドア６１ａ，６１ｂと除湿側ドア６２ａ，６２ｂとのドア面積は、両流通路８０，９０の通路断面積に略比例して、除湿側ドア６２ａ，６２ｂが大きく、加湿側ドア６１ａ，６１ｂが小さくなっている。また、シャフト６０の一端側には、この流路切替ドア６を回動させるためのレバープレート６３が設けられ、このレバープレート６３がケーシング１の外部に突出するように構成される。ケーシング１の外面には、レバープレート６３の端部と接続され、流路切替ドア６を切替駆動するサーボモータなどのアクチュエータ７が配設されている。
【００５８】
次に、流路切替部４の動作に関して説明する。図６および図７は、流路切り替えのしくみを説明する図であり、それぞれの（ａ）は図１のａ−ａ断面図、（ｂ）は図１のｂ−ｂ断面図である。図６は、流路切替部４が第１の流路切替位置にある状態を示す。図７は、流路切替部４が第２の流路切替位置にある状態を示す。
【００５９】
流路切替部４が第１の流路切替位置にある状態では、加湿側ドア６１ａ，６１ｂは、加湿風通路８０と第１流入空間３Ａとを閉塞し、加湿風通路８０と第２流入空間３Ｂとを連通する状態である。また除湿側ドア６２ａ，６２ｂは、除湿風通路９０と第１流入空間３Ａとを連通し、除湿風通路９０と第２流入空間３Ｂとを閉塞する状態である。
【００６０】
したがって図６（ａ）に示すように加湿風吹出口８側では、第２流入空間３Ｂに流出した加湿風がそのまま加湿風吹出口８へ流出するとともに、第１流入空間３Ａに流出した除湿風は、加湿風吹出口８への流路が加湿側ドア６１ｂで閉塞されているので、第１流入空間３Ａ内を幅方向Ｘ他方（図６の紙面手前側）へ流れて除湿風通路９０側へ移動し、そこから除湿風吹出口９へ流出するようになる。
【００６１】
同様に、図６（ｂ）の除湿風吹出口９側では、第１流入空間３Ａに流出した除湿風がそのまま除湿風吹出口９へ流出するとともに、第２流入空間３Ｂに流出した加湿風は、除湿風吹出口９への流路が除湿側ドア６２ｂで閉塞されているので、第２流入空間３Ｂ内を幅方向Ｘ一方（図６の紙面奥側）へ流れて加湿風通路８０側へ移動し、そこから加湿風吹出口８へ流出するようになる。
【００６２】
流路切替部４が第２の流路切替位置にある状態では、前述の第１の流路切替位置とは逆の状態であって、加湿側ドア６１ａ，６１ｂは、加湿風通路８０と第１流入空間３Ａとを連通し、加湿風通路８０と第２流入空間３Ｂとを閉塞する状態である。また除湿側ドア６２ａ，６２ｂは、除湿風通路９０と第１流入空間３Ａとを閉塞し、除湿風通路９０と第２流入空間３Ｂとを連通する状態である。
【００６３】
したがって図７（ａ）の加湿風吹出口８側では、第１流入空間３Ａに流出した加湿風がそのまま加湿風吹出口８へ流出するとともに、第２流入空間３Ｂに流出した除湿風は、加湿風吹出口８への流路が加湿側ドア６１ａで閉塞されているので、第２流入空間３Ｂ内を幅方向Ｘ他方（図７の紙面手前側）へ流れて除湿風通路９０側へ移動し、そこから除湿風吹出口９へ流出するようになる。
【００６４】
同様に、図７（ｂ）の除湿風吹出口９側では、第２流入空間３Ｂに流出した除湿風がそのまま除湿風吹出口９へ流出するとともに、第１流入空間３Ａに流出した加湿風は、除湿風吹出口９への流路が除湿側ドア６２ａで閉塞されているので、第１流入空間３Ａ内を幅方向Ｘ一方（図７の紙面奥側）へ流れて加湿風通路８０側へ移動し、そこから加湿風吹出口８へ流出するようになる。
【００６５】
制御装置（図示せず）は、制御手段であって、送風機２の制御、吸着モジュール３におけるペルチェ素子３０の電流の制御、および流路切替部４におけるアクチュエータ７の制御を行う。制御装置は、たとえばマイクロコンピュータによって実現される。
【００６６】
制御装置は、ペルチェ素子３０の電流の逆転に応じて流路切替ドア６を回動するように制御し、吸着モジュール３で処理された各空気の振り向け先が、一方の空気は加湿風吹出口８から除湿風吹出口９へ、他方の空気は除湿風吹出口９から加湿風吹出口８へ切り替える。流路切替ドア６の作動するタイミングは、ペルチェ素子３０の電流を逆転させて以降、ペルチェ素子３０の各板面部３０ａ，３０ｂの温度が高低逆転するまでの間であり、通常は電流の逆転以降約３０秒以上６０秒以下の時間が経過するまでの間である。制御装置は、電流逆転後しばらくしてから流路切替ドア６を作動させて振り向け先を切り替えることで、より一層効率的に除湿風および加湿風を生成することができる。
【００６７】
次に、除加湿装置１００の動作に関して説明する。除加湿装置１００は、たとえば外気が乾燥している冬季において次のように動作する。送風機２は、車室内の空気を吸い込み、これを吸着モジュール３の第１の吸着素子３１Ａおよび第２の吸着素子３１Ｂにそれぞれ送風する。吸着モジュール３においては、たとえば、ペルチェ素子３０の一方の板面部３０ａが吸熱部として機能し、他方の板面部３０ｂが放熱部として機能する。
【００６８】
このため、一方の板面部３０ａによって第１の吸着素子３１Ａが冷却され、そのフィン３３に設けられた吸着材の吸着操作が進行し、フィン３３を通過する空気中の水分を吸着する。第２の吸着素子３１Ｂは、ペルチェ素子３０の他方の板面部３０ｂによって加熱され、その第２の吸着素子３１Ｂのフィン３３に設けられた吸着材の脱離操作が進行し、フィン３３を通過する空気に水蒸気を放出する。
【００６９】
吸着モジュール３の第１の吸着素子３１Ａを通過して除湿された空気は第１流入空間３Ａに流出し、第２の吸着素子３１Ｂを通過して加湿された空気は第２流入空間３Ｂに流出し、流路切替ドア６により、加湿された空気は加湿風通路８０に振り向けられて加湿風吹出口８から吹き出され、除湿された空気は除湿風通路９０に振り向けられて除湿風吹出口９から吹き出される。
【００７０】
次に、吸着モジュール３において、吸着操作および脱離操作が所定時間行われると、ペルチェ素子３０に印加される電圧が逆転され、ペルチェ素子３０の吸熱部と放熱部とが入れ替えられる。換言すれば、一方の板面部３０ａが放熱部として機能し、他方の板面部３０ｂが吸熱部として機能する。そして、ペルチェ素子３０の各板面部３０ａ，３０ｂの機能の入れ替わることによって、各吸着素子３１Ａ，３１Ｂにおいては、各々、吸着材の吸着操作および脱離操作が反転する。
【００７１】
したがって第１の吸着素子３１Ａは、冷却されていたそのフィン３３が加熱されることにより、それまで吸着した水蒸気を脱離する。また第２の吸着素子３１Ｂは、加熱されていたそのフィン３３が冷却されることにより、水蒸気の吸着を開始する。その結果、第１の吸着素子３１Ａは、これを通過する空気に水蒸気を放出して加湿し、第２の吸着素子３１Ｂは、これを通過する空気中の水蒸気を吸着して除湿する。これにより、加湿された空気は第２流入空間３Ｂに流出し、除湿された空気は第１流入空間３Ａに流出する。
【００７２】
また、ペルチェ素子３０に印加される電圧が逆転されると、流路切替ドア６が第１の流路切替位置から第２の流路切替位置に回動して流路が切り替えられる。したがって流路切替ドア６が、たとえば図６に示す状態から図７に示す状態に切り替えられる。このため、吸着モジュール３の第１の吸着素子３１Ａを通過して加湿された空気は第１流入空間３Ａに流出し、第２の吸着素子３１Ｂを通過して除湿された空気は第２流入空間３Ｂに流出し、流路切替ドア６により、加湿された空気は加湿風通路８０に振り向けられて加湿風吹出口８から吹き出され、除湿された空気は、除湿風通路９０に振り向けられて除湿風吹出口９から吹き出される。
【００７３】
除加湿装置１００は、前述のような吸着モジュール３で吸着操作および脱離操作を一定のタイミングで反転させるとともに、これに応じて、除湿された空気と加湿された空気との吹出流路を流路切替ドア６によって切り替える。これにより、除湿風吹出口９から除湿された空気を連続して吹き出し、加湿風吹出口８から加湿された空気を連続して吹き出すことができる。そして、除湿された空気を窓ガラスの防曇用に使用し、加湿された空気を快適性向上のために使用する。
【００７４】
以上説明したように本実施の形態の除加湿装置１００では、吸着材の温度を均一化する温度調節手段として複数のフィン３３が設けられる。各フィン３３の長さ寸法は、風速の大きい部分が風速の小さい部分より大きく設定される。このように送風される空気の風速が大きい部分の圧力損失を風速が小さい部分より大きくするので、風速が大きい部分の風量を少なくし、風速が小さい部分の風量を多くすることができる。これによって各フィン間を通過する風量の分布を均一化することができる。したがって各フィンに塗布される吸着材と空気との熱伝達量が幅方向Ｘに関して略等しくなるので、幅方向Ｘに関して温度を均一化することができる。
【００７５】
このように温度調節手段として機能する複数のフィン３３によって吸着材の温度は均一となるので、吸着材における温度の偏りをなくすことができる。吸着材は、フィン３３の温度に基づいて水分を吸着および放出するので、温度を均一にすることによって、吸着および放出する水分量を均一にすることができる。
【００７６】
たとえば加熱されているフィン３３は、複数のフィン３３内の水分放出分布が吸着素子３１Ａ，３１Ｂにおいて均一化される。したがって吸着材の水分放出時間が一定になり、吸着材の水分枯渇のタイミングの同期が取れる。換言すると、ある部分の吸着材は水分を放出したが、他の部分の吸着材は放出できる水分が残っているという状態が起こりにくくなる。
【００７７】
同様に、冷却されているフィン３３は、複数のフィン３３内の水分吸着分布が吸着素子３１Ａ，３１Ｂにおいて均一化される。したがって吸着材の水分吸着時間が一定になり、吸着材の水分飽和のタイミングの同期が取れる。換言すると、ある部分の吸着材は水分を吸いきったが、他の部分の吸着材はまだ水分が吸えるという状態が起こりにくくなる。
【００７８】
このように本実施の形態の除加湿装置１００では、吸着材において均一に除加湿性能を発揮することができ、除加湿性能を安定させることができる。したがってペルチェ素子３０を制御することによって、所望の状態の除湿風および加湿風を生成することができ、除加湿装置１００の利便性を向上することができる。
【００７９】
また温度分布が無くなることによって、熱量の無駄が無くなり、ペルチェ素子３０における消費電力を小さくすることができる。また吸着材の過加熱を行わないので、加湿空気の温度を低くできる。同様に、吸着材の過冷却を行わないので、除湿空気の温度を高くできる。
【００８０】
また吸着モジュール３においては、長さ方向Ｙ（流通方向）におけるペルチェ素子３０の長さが、長さ方向Ｙにおけるフィン３３の長さよりも短く形成されているとともに、フィン３３に対してペルチェ素子３０が上流側となる位置に配設されている。したがってペルチェ素子３０は、吸着素子３１Ａ，３１Ｂの上流側の方が下流側より温度が高くなるように加熱する。吸着素子３１Ａ，３１Ｂに設けられる吸着材の下流側は、吸着素子３１Ａ，３１Ｂの上流側からの熱伝導と、上流側で熱交換によって加熱された空気の熱伝達とによって加熱されるので、長さ方向Ｙに関する温度を均一にすることができる。換言すると、吸着材を長さ方向Ｙに関して均一に加熱するよりも、上流側を強く加熱する方が、吸着材の温度を長さ方向Ｙに関して均一にすることができる。これによって無駄な電力を使うことなく、吸着素子３１Ａ，３１Ｂの略全面で充分な吸着・脱離作用を発揮させることができる。
【００８１】
またペルチェ素子３０の長さ寸法が、フィン３３の長さ寸法の略半分である。これによれば、加熱能力および冷却能力に勾配を付けて効率的な加熱および冷却とすることにより、ペルチェ素子３０の大きさを、略半分程度にまで小さくすることができる。
【００８２】
またペルチェ素子３０の上流端位置と、フィン３３の上流端位置とが略同じである。これによってフィン３３の上流端から加熱および冷却を行って、できるだけ上流端近傍から必要温度に立ち上げることで効率的な加熱および冷却が可能となる。
【００８３】
（第２実施形態）
次に、本発明の第２実施形態に関して、図８を用いて説明する。図８は、第２実施形態の除加湿装置１００Ａを示す平面断面図である。本実施の形態は、前述の第１実施形態における断熱部材３４の部分にペルチェ素子３０が延設され、スクロールケーシング２０内に吸着モジュール３が配置されている点に特徴を有する。
【００８４】
スクロールケーシング２０によって形成される渦巻状の流路によって、径方向および周方向に整流された空気は、風速分布が一様ではなく、吹出口２４の幅方向Ｘ他方側（図１における下方側）の方が風速が大きくなる。このような風速が大きい部分に、前述の第１実施形態と同様に長さ寸法が長いフィン３３が設けられる。これによって前述の第１実施形態のケーシングに比べて、長さ寸法を短くすることができる。これによって除加湿装置１００Ａを小形化することができる。また本実施の形態の除加湿装置１００Ａは、前述の第１実施形態と同様の構成に関しては、同様の作用および効果を達成することができる。
【００８５】
（第３実施形態）
次に、本発明の第３実施形態に関して、図９および図１０を用いて説明する。図９は、第３実施形態の除加湿装置１００Ｂを示す平面断面図である。図１０は、吸着モジュール３を示す断面図である。本実施の形態は、前述の第１実施形態における断熱部材３４の部分にペルチェ素子３０が延設され、フィン３３の構成が異なる点に特徴を有する。
【００８６】
複数のフィン３３の厚み寸法は、風速が大きい部分を風速が小さい部分より大きくなるように設定される。したがって風速分布に応じて、幅方向Ｘ他方側（図１０における左方側）の方がフィン３３の厚み寸法が大きくなるように設定され、幅方向Ｘ一方側に向かうにつれて、フィン３３の厚み寸法が徐々に小さくなる。
【００８７】
フィンピッチは互いに等しく、フィン３３の長さ寸法も互いに等しい。したがって各フィン３３間の隙間が、互いに異なり、風速が大きい部分の隙間が小さく、風速が小さい部分の隙間が大きくなる。したがって風速分布に応じて、幅方向Ｘ他方側の方がフィン３３間の隙間が小さくなるように設定され、幅方向Ｘ一方側に向かうにつれて、フィン３３間の隙間が徐々に大きくなる。
【００８８】
このように本実施の形態では、複数のフィン３３の厚み寸法は、風速が大きい部分を風速が小さい部分より大きくするので、風速が大きい部分の圧力損失を大きくし、風速が小さい部分の圧力損失を小さくすることができる。これによって吸着材３６を通過する風量の分布を均一化することができるので、前述の第１実施形態と同様に風量の分布の均一化による効果を達成することができる。また本実施の形態の除加湿装置１００Ｂは、前述の第１実施形態と同様の構成に関しては、同様の作用および効果を達成することができる。
【００８９】
（第４実施形態）
次に、本発明の第４実施形態に関して、図１１を用いて説明する。図１１は、吸着モジュール３Ｃを示す断面図である。本実施の形態は、前述の第３実施形態におけるフィン３３および吸着材３６の構成が異なる点に特徴を有する。
【００９０】
複数のフィン３３の表面に設けられる吸着材３６の厚み寸法は、風速の大きい部分が、風速の小さい部分より大きくなるように設定される。したがって風速分布に応じて、幅方向Ｘ他方側（図１１における左方側）の方が吸着材３６の厚み寸法が大きくなるように設定され、幅方向Ｘ一方側（図１１における右方側）に向かうにつれて、吸着材３６の厚み寸法が徐々に小さくなる。したがってフィン３３の厚み寸法は、図１１に示すように、吸着材３６の厚み寸法に比例するので、吸着材３６の厚み寸法が大きくなるとフィン３３の厚み寸法が大きくなる。
【００９１】
フィンピッチは互いに等しく、フィン３３の長さ寸法も互いに等しい。したがって各フィン３３間の隙間が、互いに異なり、風速が大きい部分の隙間が小さく、風速が小さい部分の隙間が大きくなる。したがって前述の第３実施形態と同様に、風速分布に応じて、幅方向Ｘ他方側の方がフィン３３間の隙間が小さくなるように設定され、幅方向Ｘ一方側に向かうにつれて、フィン３３間の隙間が徐々に大きくなる。
【００９２】
このように本実施の形態では、複数のフィン３３に設けられる吸着材３６の厚み寸法は、風速が大きい部分を風速が小さい部分より大きくするので、風速が大きい部分の圧力損失を大きくし、風速が小さい部分の圧力損失を小さくすることができる。これによって吸着材３６を通過する風量の分布を均一化することができるので、前述の第３実施形態と同様に風量の分布の均一化による効果を達成することができる。また本実施の形態の除加湿装置は、前述の第３実施形態と同様の構成に関しては、同様の作用および効果を達成することができる。
【００９３】
（第５実施形態）
次に、本発明の第５実施形態に関して、図１２を用いて説明する。図１２は、第５実施形態の除加湿装置１００を示す平面断面図である。本実施の形態は、前述の第１実施形態における断熱部材３４の部分にペルチェ素子３０が延設され、フィン３３の構成が異なる点に特徴を有する。
【００９４】
複数のフィン３３のピッチは、風速の大きい部分が風速の小さい部分より小さくなるように設定される。したがって風速分布に応じて、幅方向Ｘ他方側（図１２における下方側）の方がフィン３３のピッチが小さくなるように設定され、幅方向Ｘ一方側に向かうにつれて、フィン３３のピッチが徐々に大きくなる。
【００９５】
フィンの厚み寸法は互いに等しく、フィンの長さ寸法も互いに等しい。したがって各フィン間の隙間が、互いに異なり、風速が大きい部分の隙間が小さく、風速が小さい部分の隙間が大きくなる。したがって風速分布に応じて、幅方向Ｘ他方側の方がフィン３３間の隙間が小さくなるように設定され、幅方向Ｘ一方側に向かうにつれて、フィン３３間の隙間が徐々に大きくなる。
【００９６】
このように本実施の形態では、複数のフィンのピッチは、風速の大きい部分が風速の小さい部分より小さくするので、風速が大きい部分の圧力損失を大きくし、風速が小さい部分の圧力損失を小さくすることができる。これによって吸着材を通過する風量の分布を均一化することができるので、前述の第１実施形態と同様に風量の分布の均一化による効果を達成することができる。また本実施の形態の除加湿装置は、前述の第１実施形態と同様の構成に関しては、同様の作用および効果を達成することができる。
【００９７】
（その他の実施形態）
以上、本発明の好ましい実施形態について説明したが、本発明は上述した実施形態に何ら制限されることなく、本発明の主旨を逸脱しない範囲において種々変形して実施することが可能である。
【００９８】
前述の第１実施形態では、温度調節手段は複数のフィン３３によって実現されるがこのような構成に限ることはなく、温度調節手段を吸着部における風速分布を均一化する案内板によって実現してもよい。たとえば風速が大きい部分の空気を風速が小さい部分に振り分けるように、案内板を吸着モジュール３の上流側に設けることによって、吸着モジュール３における風速を均一化することができる。このような案内板を設けることによって、風量を均一化する場合と同様の作用および効果を達成することができる。
【００９９】
また前述の第１実施形態では、直線的に風速が変化する風速分布なので、風速の大きい部分と風速の小さい部分との差は明確ではないが、風速の大きさに比例して圧力損失が大きくなるように、フィン３３の長さ寸法が選択されているが、これに限ることない。フィン３３の長さ寸法は、段階的に変化させてもよい。
【０１００】
また送風手段は、遠心式の送風機によって実現されるが、遠心式に送風機に限ることはなく、風速が均一な送風手段を用いてもよい。
【０１０１】
また前述の第１実施形態では、フィンの厚み寸法は一様であるが、このような構成に限ることはなく、圧力損失の要望に応じて、フィンの厚み寸法を長さ方向に関して変わるように設定してもよい。
【０１０２】
また前記の第１実施形態では、加熱手段とてペルチェ素子３０を用いているが、加熱手段はペルチェ素子３０に限ることはなく、加熱機能のみを有するヒータによって実現してもよい。加熱手段がヒータの場合、ペルチェ素子３０のように冷却機能はないが、送風による自然冷却によって、除湿機能を達成することができる。
【０１０３】
前述の第１実施形態では、流路切替ドア６の回動範囲を小さくするために、加湿側ドア６１ａ，６１ｂと除湿側ドア６２ａ，６２ｂとをそれぞれ２枚ずつ形成しているが、加湿側ドアと除湿側ドアとを対向する位置に１枚ずつ形成し、それぞれのドアが閉塞する位置が入れ替わるように１８０度回動させる構造としても良い。ドアの回動範囲は大きくなるが、ドアの形状を簡単にすることができる。
【０１０４】
また流路切替部４の構成は、前述のドアを回動させる構成に限ることはなく、空気の流路を切り替える他の機構として、たとえば２つの可撓性管路を移動させてその接続先を変更するような機構、およびリンクなどによって同期作動する２つのシャッターを交互に開閉してその接続先を変更する機構なども使用できる。
【０１０５】
またフィン３３は、小型化を図ることができ、大きな吸着面積を確保でき、かつ一層多量の粉体状の吸着材を保持し得る限り、前述の実施の各形態のフィン３３の形状に限ることはなく、各種の構造のものを使用できる。フィンの構造としては、たとえば波板状の基材シートによって通気セルの開口形状が略三角形に形成されたコルゲート型、通気セルの開口形状が略六角形に形成されたハニカム型、および通気セルの開口形状が四角形に形成された格子型などの構造であってもよい。
【０１０６】
また除加湿装置１００は、外気が高湿度となる状況においては、電気回路の接続変更により、乗員側に除湿風を供給するようにしてもよい。また除加湿装置１００は、既設の空調装置に組み込んでもよい。
【０１０７】
前述の実施の各形態では、除加温装置を車両に搭載して用いたものであるが、通常の室内で用いても良く、加湿を必要とする空間（たとえば寝室）内の所定空間（たとえば寝具の枕元周り）に加湿した空気を吹き出し、除湿を必要とする空間（たとえば結露し易い窓や壁）側には除湿された空気を吹き出すように使っても良い。
【図面の簡単な説明】
【０１０８】
【図１】第１実施形態の除加湿装置１００を示す平面断面図である。
【図２】除加湿装置１００の側面断面図である。
【図３】吸着モジュール３の一部を拡大して示す斜視図である。
【図４】流路切替部４を示す斜視図である。
【図５】流路切替部４を示す側面図である。
【図６】流路切替部４が第１の流路切替位置にある状態を示す側面図である。
【図７】流路切替部４が第２の流路切替位置にある状態を示す側面図である。
【図８】第２実施形態の除加湿装置１００Ａを示す平面断面図である。
【図９】第３実施形態の除加湿装置１００Ｂを示す平面断面図である。
【図１０】第３実施形態の吸着モジュール３を示す断面図である。
【図１１】第４実施形態の吸着モジュール３Ｃを示す断面図である。
【図１２】第５実施形態の除加湿装置１００を示す平面断面図である。
【符号の説明】
【０１０９】
１…ケーシング（メインケーシング）
２…送風機（送風手段）
３…吸着モジュール（空調手段）
３Ａ…第１流入空間
３Ｂ…第２流入空間
４…流路切替部（流路切替手段）
６…流路切替ドア
８…加湿風吹出口
９…除湿風吹出口
２０…スクロールケーシング
２１…多翼ファン
２３…吸込口
２４…吹出口
３０…ペルチェ素子（加熱部）
３０ａ，３０ｂ…板面部
３１Ａ…第１の吸着素子
３１Ｂ…第２の吸着素子
３３…フィン（温度調節手段・熱交換部）
３４…断熱部材
３６…吸着材（吸着部）
８０…加湿風通路
９０…除湿風通路
１００，１００Ａ，１００Ｂ…除加湿装置
【図１】
2010096454.tif 000003
【図２】
2010096454.tif 000004
【図３】
2010096454.tif 000005
【図４】
2010096454.tif 000006
【図５】
2010096454.tif 000007
【図６】
2010096454.tif 000008
【図７】
2010096454.tif 000009
【図８】
2010096454.tif 000010
【図９】
2010096454.tif 000011
【図１０】
2010096454.tif 000012
【図１１】
2010096454.tif 000013
【図１２】
2010096454.tif 000014